(57)【要約】  【目的】装置本体の小型化を実現しつつ大型の表示装置を搭載することができ、かつ操作性に優れた操作パネルを実現するとともに、原稿および記録紙の良好な装填性を確保でき、簡単な操作性と多機能操作性とを両立させ得るファクシミリ装置を提供する。  【構成】装置本体前方上部に配置された操作パネル７１と、操作パネル７１に対して開閉可能に配置され、開放時には操作パネルの上方かつ後方に位置し、閉鎖時には操作パネル上に折り重ねられる表示部１４と、装置本体上部で操作パネルより後方かつ開放時の表示部１４より後方に配置された原稿挿入口４４および記録紙挿入口２９と、を設ける。【選択図】                図１
2005124074.tif 000002
【特許請求の範囲】
【請求項１】
装置本体上部前方に配置された操作パネルと、前記操作パネルに対して開閉可能に配置され、開放時には前記操作パネルの上方かつ後方に位置し、閉鎖時には前記操作パネル上に折り重ねられる表示部と、装置本体上部で開放時の前記表示部より後方に配置された原稿挿入口および記録紙挿入口と、を有することを特徴とするファクシミリ装置。
【請求項２】
前記表示部は、前記操作パネルの後部に設けられた回転中心部を支点として回動することにより、前記操作パネルに対して開閉されることを特徴とする請求項１に記載のファクシミリ装置。
【請求項３】
前記表示部の開き角度が可変自在であることを特徴とする請求項１又は２に記載のファクシミリ装置。
【請求項４】
前記表示部の第１の面に配置された第１の表示装置と、前記表示部の第１の面の反対側の第２の面に配置された第２の表示装置と、を備え、前記表示部の開放時には、前記第１の表示装置が装置使用者に対して露出されるとともに、前記第２の表示装置が装置使用者に対して隠蔽され、前記表示部の閉鎖時には、前記第１の表示装置が装置使用者に対して隠蔽されるとともに、前記第２の表示装置が装置使用者に対して露出されることを特徴とする請求項１〜３のいずれかに記載のファクシミリ装置。
【請求項５】
前記操作パネル上に複数のボタンが配置され、前記表示部の閉鎖時には、前記複数のボタンの一部である第１のボタン群が装置使用者に対して隠蔽されるとともに、前記第１のボタン群以外のボタンである第２のボタン群が露出され、前記表示部の開放時には、前記複数のボタンの全てが装置使用者に対して露出される、ことを特徴とする請求項１〜４のいずれかに記載のファクシミリ装置。
【請求項６】
前記第１のボタン群は主に前記第１の表示装置への表示内容の操作に関するボタンであり、前記第２のボタン群は、前記第１の表示装置への表示なしで、前記第２の表示装置への表示のみで、装置本体の操作が可能である操作に関するボタンである、ことを特徴とする請求項５に記載のファクシミリ装置。
【請求項７】
前記表示部の第１の面の前記第１の表示装置の領域外に第３のボタン群が配置され、前記第３のボタン群のボタン機能は前記第１の表示装置への表示により装置使用者に知らされ、前記第１の表示装置への表示内容の変動により前記第３のボタン群のボタン機能が変動する、ことを特徴とする請求項４〜６のいずれかに記載のファクシミリ装置。
【請求項８】
前記表示部の開放および閉鎖を検知する検知手段を設け、前記表示部の開放時には前記第１の表示装置を表示させると共に前記第２の表示装置を非表示にし、前記表示部の閉鎖時には前記第１の表示装置を非表示にすると共に前記第２の表示装置を表示させる、ことを特徴とする請求項４〜７のいずれかに記載のファクシミリ装置。
【発明の詳細な説明】
【技術分野】
【０００１】
本発明はファクシミリ装置に関する。
【背景技術】
【０００２】
現在、読取装置および記録装置の小型化からファクシミリ装置は家庭にも普及している。図１６は本発明を適用する前のファクシミリ装置の中央部縦断面図であり、図１７は本発明を適用する前のファクシミリ装置の操作部の模式的平面図である。家庭用ファクシミリ装置においては、装置本体のコンパクト性、原稿や記録紙の装填性、および排出された原稿や記録紙の操作性の観点から、図１６に示すように、原稿に関しては、原稿挿入口２０１を本体上部に配置し、原稿排出口２０２を本体前方に配置するのが一般的であり、また記録紙に関しては、図１６に示すように記録紙挿入口２０３を本体上部に配置し、記録紙排出口２０４を本体前方に配置したり、記録紙挿入口、記録紙排出口共に本体上部に配置するのが一般的である。つまり、原稿挿入口および記録紙挿入口をいずれも本体上部に配置する構成が多く採用されている。また、本体操作パネル２０５は、これも操作性の面から図１６に示すように本体前方上部に配置され、操作パネル２０５の手前側を奥側よりも低くすることで適度なスラント形状（傾斜した形状）にするのが一般的である。
【０００３】
また、ファクシミリ装置では、操作パネル２０５上に数字ボタンや他のボタンなど各種の操作ボタンが配置されており、家庭用ファクシミリ装置においては、例えば図１７に示すように、数字ボタン群２０６に加えて、留守番電話関係のボタン群２０７や電話帳関係のボタン群２０８や他の機能ボタン群２０９など多数のボタンが必要となる。よって、このようなファクシミリ装置においては、操作パネルそのものの大きさを小さくして装置本体のコンパクト性を実現すると共に、多数のボタンを使いやすく配列するという、相反する性能の両立が要求されている。
【０００４】
さらに、近年、Ｅメールの送受信、ウエブブラウジング、受信画像の確認表示などの用途のために、大きな面積を有する表示部が要求されている。そのため、多数のボタンに加えて大きな表示部を配置しなければならず、操作パネルのコンパクト性と操作性の両立が一層困難になっている。このコンパクト性と操作性を両立させるため、例えば図１７に示すように、表示部２１０を操作パネル２０５のやや上方に配置することにより、多数のボタンを配置（レイアウト）する領域（エリア）を確保する構成が提案されている。
【特許文献１】特開２００３−１４３３４１号公報
【発明の開示】
【発明が解決しようとする課題】
【０００５】
しかしながら、上述のファクシミリ装置においては、本体上方で操作パネルの後方に配置された原稿挿入口２０１や記録紙挿入口２０３の一部が表示部２１０によりユーザから隠れてしまうため、原稿や記録紙の装填操作性が低下するという不都合がある。原稿や記録紙の装填操作性を改善するために表示部２１０を操作パネル上のボタン配列エリアに配置すると、多数のボタンをレイアウトするためのエリアが小さくなり、ボタンの操作性が低下することになる。また、原稿挿入口３０１や記録紙挿入口２０３を表示部２１０から十分に離して原稿や記録紙の装填操作性の改善を図ると、装置本体のコンパクト性が失われることになる。
【０００６】
本発明はこのような技術的課題に鑑みてなされたものであり、本発明の目的は、装置本体の小型化を実現しつつ大型の表示装置を搭載することができ、かつ操作性に優れた操作パネルを実現するとともに、原稿および記録紙の良好な装填性を確保できるファクシミリ装置を提供することである。本発明のその他の目的は、簡単な操作性と多機能操作性とを両立させ得るファクシミリ装置を提供することである。
【課題を解決するための手段】
【０００７】
本発明（請求項１）に係るファクシミリ装置は、上記目的を達成するため、装置本体上部前方に配置された操作パネルと、前記操作パネルに対して開閉可能に配置され、開放時には前記操作パネルの上方かつ後方に位置し、閉鎖時には前記操作パネル上に折り重ねられる表示部と、装置本体上部で開放時の前記表示部より後方に配置された原稿挿入口および記録紙挿入口と、を有することを特徴とする。
【発明の効果】
【０００８】
上記本発明によれば、装置本体の小型化を実現しつつ、大型の表示部を有するファクシミリ装置においても多機能のボタン配列と原稿及び記録紙の装填操作性とを両立させることができ、単純な操作の場合には必要なボタンのみを露出させ、複雑な操作の場合には多機能のボタンを露出させることで、簡単な操作性と多機能操作性とを両立させることが可能となる。
【発明を実施するための最良の形態】
【０００９】
以下、図面を参照して本発明の実施形態を具体的に説明する。なお、各図面を通して同一符号は同一又は対応部分を示すものである。図１は本発明を適用したファクシミリ装置を模式的に示す中央部縦断面図であり、図２は図１のファクシミリ装置の主として電装部を示すための模式的分解斜視図である。図１および図２において、ファクシミリ装置１００は、原稿の画像を読み取って送信したり、画像情報を受信して記録紙に画像を記録したりするように構成されている。また、このファクシミリ装置１００は、原稿の画像を読み取って、その画像を記録紙に複写することもできるように構成されている。なお、記録紙の代わりに、記録紙の代用品であるプラスチック製の薄いもの、ＯＨＰ用紙、ロール巻きの長尺用紙を繰り出して切断処理したシート、あるいは封筒など、種々の媒体を被記録媒体として使用することも可能である。また、本実施形態においては、記録手段としてサーマルヘッドが使用されており、インクフィルムのインクを転写することにより記録紙への記録動作が行われる構成となっている。
【００１０】
次に、図１および図２を用いて、ファクシミリ装置１００の構造を説明する。なお、図１を含む各図のファクシミリ装置においては、装置の左右はユーザが装置を使用するときに該装置に向き合ったときの左側をファクシミリ装置の左側とし、同じく向き合ったときの右側をファクシミリ装置の右側とする。また、ユーザが装置を使用するときに該装置に向き合ったときの装置手前側の方をファクシミリ装置の前方とし、同じく向き合ったときの装置の奥の方をファクシミリ装置の後方とする。
【００１１】
まずファクシミリ装置１００の下部から概略を説明する。図１に示すように、装置本体１６の最下部には底板ユニット１が配設されている。図２に示すように、底板ユニット１は、電源基板１７、コードレス子機基板１８、副制御基板１９などから構成されている。図１において、底板ユニット１の上部には、装置本体１６のフレームとして機能する下カバー２４が配置されている。下カバー２４の上部には、上カバーユニット１５が下カバーユニット８に対して回動自在に設けられている。さらに、上カバーユニット１５は、給紙フレームカバーユニット９と操作部１０とＡＤＦ(Auto Document Feeder)フレームユニット１１とで構成されている。給紙フレームカバーユニット９は、装置本体１６の外装の一部および原稿搬送路の下側のガイドを形成している。ＡＤＦ(Auto Document Feeder)フレームユニット１１は原稿搬送路の上側ガイドとして機能している。また、操作部１０には、装置本体１６の操作を行うためのボタン類や装置の状態を示す表示部１４が設けられている。
【００１２】
給紙フレームカバーユニット９には、記録紙Ｐを１枚ずつに分離して給送する自動給紙部（以下、「ＡＳＦ（Auto Sheet Feeder)部」ともいう）２と、該ＡＳＦ部２から搬送された記録紙Ｐに画像を記録する画像記録部３のプラテンローラ３９とが設けられている。ＡＤＦフレームユニット１１には、原稿Ｄを１枚ずつ分離して給送する自動原稿供給部（以下、「ＡＤＦ（Auto Document Feeder) 部」という）６が設けられている。画像記録部３のプラテンローラ３９に対向する下カバーユニット８の部位には、画像記録部３のサーマルヘッド４１が装着されている。ＡＤＦ部６の下流の下カバーユニット８の部位には、ＡＤＦ部６から搬送された原稿Ｄを読み取る読取部５のＣＩＳ（コンタクトイメージセンサ）５０とＣＩＳローラ（読取白ローラ）５１とが配設されている。
【００１３】
上カバーユニット１５は、操作部１０とＡＤＦフレームユニット１１と給紙フレームカバーユニット９とを備えている。操作部１０とＡＤＦフレームユニット１１との間はビスで固定され、また、ＡＤＦフレームユニット１１と給紙フレームカバーユニット９との間もビスで固定されている。従って、上カバーユニット１５は下カバーユニット８に対して回動自在に配設されており、操作部１０とＡＤＦフレームユニット１１と給紙フレームカバーユニット９とは同時に回動する。
【００１４】
図１０は、図１のファクシミリ装置において上カバーユニットを開放したときの状態を模式的に示す中央部縦断面図である。上カバーユニット１５は、図１０に示すように、下カバーユニット８に開閉自在に取り付けられている。上カバーユニット１５の開閉角度は、インクフィルムカートリッジ３６の交換とジャム処理の操作とを容易に行える角度に調整されている（約７０度）。給紙フレームカバーユニット９の構成部品の一つである給紙フレーム３２には、上カバーユニット１５の回転の支点６３を中心とした円弧状のダンパアーム６４が取り付けられている。
【００１５】
ダンパアーム６４には突起６５が形成されている。装置本体１６には、突起６５に係合するように一方向に回転負荷が付与されたダンパーゴム（不図示）が取り付けられている。ダンパアーム６４と上記ダンパーゴムは、突起６５に押圧され変形することにより該ダンパアーム６４に摩擦負荷を付与するように作動する。そして、ダンパアーム６４と上記ダンパーゴムの前述した回転負荷は、上カバーユニット１５を閉じるときに作用し、上カバーユニット１５を閉めるときのダンパとして機能する。ダンパアーム６４の先端部にはストッパ爪６６が形成されている。このストッパ爪６６は、下カバーユニット８に形成されたダンパーゴムホルダ（不図示）に係合することで、上カバーユニット１５の開き角度を前述の調整角度（約７０度）以下に規制するためのストッパとして機能する。
【００１６】
図６は図１のファクシミリ装置の制御系の構成を示すブロック図である。次に、図６を参照してファクシミリ装置１００の制御系について説明する。図６において、制御系は、ファクシミリ装置１００の主制御基板２０、ファクシミリ装置１００全体に電力を供給する電源基板１７、モータの駆動やセンサを制御する回路および電話回線に接続されるネットワーク・コントロール・ユニット回路（ＮＣＵ回路）２５を実装した副制御基板１９、コードレス子機基板１８、などで構成されている。
【００１７】
主制御基板２０は、ファクシミリ装置１００全体の制御を行うＣＰＵ２０ａ１、各種プログラムや各種データ等を格納したＲＯＭ２０１ａ２、上記ＣＰＵ２０ａ１のワークエリアとして使用されると共に各種データの一時保存を行うＲＡＭ２０ａ３、ファクシミリデータをデジタルからアナログにアナログからデジタルへ変調・復調するＦＡＸモデム２０ｅなどを備えている。同様にデータ通信を行うための変調・復調を行うモデムとしてのデータモデム２０ｆも備えている。また、ＡＳＩＣ２０ｂは、読み取り画像データの各ラインのイメージを格納するラインメモリを含んでおり、ファクシミリ装置１００が送信時又はコピー時に画像読取動作を行うときに読取部５からの１ライン分のイメージデータを格納する。
【００１８】
また、上記ＡＳＩＣ２０ｂは、画像データの受信の場合には復号化された１ライン分のデータを格納するようになっており、該ラインメモリを含むＡＳＩＣ２０ｂに格納された画像データは、ライン毎の画像データに変換され、この画像データが記録部に送られることで記録紙Ｐに画像として記録される。また、符号化／復号化部２０ｃは、送信する画像情報をＭＨ符号化等により符号化したり、受信した符号化画像データを復号化したりしてイメージデータに変換する。バッファメモリ２０ｄは、送受信された符号化画像データを格納する。さらに、本実施形態のファクシミリ装置１００は、子機電話としてコードレス電話を使用することができる。このため、親機側のコードレス子機基板１８と子機２１内の子機側コードレス子機基板（不図示）とが無線でつながっている。副制御基板１９上には、モータを駆動するモータドライバ１９ａが実装されている。モータドライバ１９ａは、主制御基板２０のＡＳＩＣ２０ｂからの制御信号に基づいてモータ５２を駆動する。電源供給に関しては、電源基板１７を主制御基板２０および副制御基板１９に電気的に接続することで電源供給を行うように構成されている。
【００１９】
図４は図１のファクシミリ装置の駆動系を示す図であり、（ａ）は駆動系の側面図であり、（ｂ）は駆動系およびローラ類を斜め上から見た斜視図である。次に、図１および図４を参照して、ファクシミリ装置１００の駆動系について説明する。図４において、本実施形態では、１つのモータ５２により全てのローラ類が駆動される。そのため、モータ５２を一旦逆方向に回転させ、どのローラを駆動するのかを選択し（選択モード）、その後、選択したローラを駆動するためにモータ５２を正方向に回転（駆動モード）させる。選択モードでは、モータ駆動を逆方向に回転させると切り替え制御用円筒を伴ったギア５３が回転し、その切り替え制御用円筒の回転位置により各種アーム５４（５４ａ、５４ｂ、５４ｃ）の位置が規制され、各モードに適したギア連結および駆動連結が行われる。
【００２０】
具体的には、原稿分離ローラ４７とＣＩＳローラ５１と記録紙排紙ローラ４２とを駆動する状態（モード１）、記録紙ピックアップローラ３３と記録紙排紙ローラ４２とを駆動する状態（モード２）、プラテンローラ３９と記録紙排紙ローラ４２とを駆動する状態（モード３：図４）、記録紙排紙ローラ４２のみを駆動する状態（モード４）の４つのモードに切り替えることができる。各モードに切り替えた後、モータ５２の回転方向を正方向に切り替えることにより、各種ローラに駆動力が伝達される。
【００２１】
図３は図１のファクシミリ装置１００の記録部周辺を拡大して示す模式的部分縦断面図であり、図５は図１のファクシミリ装置１００のインクカートリッジ３６を示す模式的斜視図である。次に、ファクシミリ装置１００の画像記録部３の構成および動作を、図１、図３および図５を用いて説明する。まず、ファクシミリ装置１００の画像記録部（プリンタ部）３の構成について説明する。図１および図３において、記録紙Ｐは、記録紙搬送路３０に沿って矢印Ｓ方向へ搬送される。記録紙積載トレイ（記録紙積載メイントレイ）２６は、給紙フレーム３２に着脱自在に装着されており、ＡＳＦ部（自動給紙部）２にセットされた記録紙Ｐをその後端部分が垂れ下がらないように支持している。記録紙積載トレイ２６のカバーである記録紙カバー２７は、ＡＤＦ部（自動原稿供給部）６にセットされた原稿Ｄのトレイとしても使用される。記録紙挿入口２９は、記録紙Ｐを装置本体１６内へ受け入れるための開口部である。
【００２２】
ＡＳＦ部２は、給紙フレーム３２に取り付けられた記録紙ピックアップローラ３３、記録紙排紙ローラ４２およびアンダーガイド３７を備えている。前記給紙フレーム３２は、画像記録部までは記録紙搬送路の上側をガイドし、画像記録部の後では記録紙搬送路の下側をガイドするように構成されている。前記アンダーガイド３７は、記録紙搬送路の下側のガイドを形成している。また、記録紙Ｐの分離に関する記録予備圧接アーム３１および記録分離パッド３４はアンダーガイド３７に回動可能に保持されている。記録予備圧接アーム３１は、記録分離パッド３４の回転中心軸を中心に回動可能に保持され、その上面に複数枚の記録紙が積載載置されている。記録予備圧接アームばね３１ａは、記録予備圧接アーム３１を上方へ加圧・回動させるためのものであり、常に記録予備圧接アーム３１を記録紙ピックアップローラ３３に当接する方向に付勢している。記録分離パッド３４とアンダーガイド３７との間にも記録分離パッドばね３４ａが配置されており、記録分離パッド３４を記録紙ピックアップローラ３３へ当接する方向に付勢している。
【００２３】
記録紙ピックアップローラ３３は、記録紙積載トレイ２６にセットされた複数枚の記録紙Ｐを１枚ずつ分離して搬送する。記録分離パッド３４は、記録紙ピックアップローラ３３によって記録紙Ｐが複数枚重なって搬送されてきたとき、記録紙Ｐを分離し、１枚の記録紙Ｐだけが搬送されるように作用する。ＰＥＳ（Paper Edge Sensor)センサ３５は、１枚ずつ分離給送された記録紙Ｐの先端を検知する。画像記録部３には、インクシートカートリッジ３６から供給されるインクシート３６ａと、記録紙Ｐの幅方向に１ｍｍ当たり８個の密度で配置された発熱体を持つラインヘッド（ＴＰＨ(Thermal Print Head)）４１と、記録紙Ｐと、インクシート３６ａをＴＰＨ４１に押し付けると共に記録紙Ｐを搬送するためのプラテンローラ３９と、が設けられている。きれいな印字（記録）を行うために、ＴＰＨ４１とプラテンローラ３９とは合計３〜４kgf のばね力により圧接されている。
【００２４】
しかしながら、モールド材で形成されている下カバー２４では、直接これだけのばね圧を受けると変形等を含む様々な不具合が生じるおそれがある。そのために、ＴＰＨばね４１ａの座面に板金で形成されたＴＰＨの幅以上のＴＰＨステー４１ｂで下カバー２４を補強し、さらにＴＰＨ４１の左右方向ほぼ中心の下カバー２４の真下に、装置全体を制御する基板を保持する板金まで延びるボス２４ａが形成されている。画像記録部３の下流には、記録済みの記録紙Ｐの記録面側をガイドすると共に記録紙ＰをＵターンさせるためのＵターンガイド３８、記録済みの記録紙Ｐを装置外に排出するための記録紙排紙ローラ４２、および、不図示のばねにより記録紙排紙ローラ４２に圧接されて該記録紙排紙ローラに従動する排紙コロ４２ａなどが配設されている。
【００２５】
記録紙積載トレイ２６の両端には側壁があり、壁の内側の距離は記録紙の幅より若干大きめに設定されており、記録紙の左右セットのバラツキは記録紙積載トレイ２６の両側壁により規制される。図１および図５において、インクシートカートリッジ３６においては、供給側の紙管３６ｂに巻き付けられたインクシート３６ａが巻き取り側の紙管３６ｃにより巻き取られる。インクシートカートリッジ３６は、２つの板状のモールド部品３６ｄにより２つの紙管３６ｂ、３６ｃを保持する構成であるため、装置本体１６への着脱が容易である。２つの紙管３６ｂ、３６ｃの平行度は装置本体に装着した時に規定される。インクシートカートリッジ３６の巻き取りは、前記モード３の時、巻き取り側紙管３６ｃに固定されたギア３６ｅをモータ５２で回動することにより行われる。巻き取り側紙管３６ｃの径は、最初は小さく、巻き取るに従って大きくなる。そのため、巻き取り側の紙管３６ｃを一定のスピードで回転させると、インクシート３６ａの巻き取りスピードが変化することになる。
【００２６】
一方、記録紙Ｐの搬送速度は一定にしないと画像形成上正常な画像を記録することができない。そのため、記録紙Ｐの搬送速度は給紙フレーム３２に保持されたプラテンローラ３９によりコントロールされる。つまり、インクシートカートリッジ３６の巻き取りスピードはプラテンローラ３９による速度よりも若干速くなるように設定されている。そして、巻き取り側の紙管３６ｃによるインクシートの巻き取り速度とプラテンローラ３９によるインクシートの搬送速度との間に差が生じるため、巻き取り側の紙管３６ｃを駆動するギア配列の中に、ある一定値以上のトルクがかかると滑って駆動が伝達されなくなるように動作するトルクリミッタが配置されている。この構成により、インクシート３６ａおよび記録紙Ｐを一定のスピードで搬送しながら、インクシートを弛むことなく巻き取ることができる。また、インクシートカートリッジ３６を使い終わると、全てのインクシートが供給側紙管３６ｂから外れ、巻き取り側紙管３６ｃに巻き取られる。この場合のインクシート３６ａの有無は、下カバー２４に取り付けられたインクシート有無検知用のインクシートセンサ４３（図１、図３）により検出される。
【００２７】
次に、本実施形態に係るファクシミリ装置１００の記録動作（プリント動作）について説明する。図１に示すファクシミリ装置１００において、外部からのファクシミリ信号、あるいは読取部５からの読取信号が送られてくると、モータ５２（図４、図６）が始動される。このモータ５２を先ずは一旦逆回転させ、モード２の状態にギアを連結した後に該モータを正回転させることにより、記録紙ピックアップローラ３３を時計方向に回転させる。この結果、記録予備圧接アーム３１に積載された複数枚の記録紙Ｐのうち、上層部の記録紙Ｐが記録紙ピックアップローラ３３に接して矢印Ｓ方向に搬送される。一方、下層部の記録紙Ｐは記録分離パッド３４によってせき止められる。そして、最上位の記録紙Ｐが１枚ずつ分離されて画像記録部３へ搬送される。
【００２８】
１枚に分離された記録紙Ｐの先端がＰＥＳセンサ３５（図１、図３）によって検知される。ＰＥＳセンサ３５によって検知した後、モータ５２により所定ステップ数搬送する。これによって、停止しているプラテンローラ３９と、ＴＰＨ４１と、給紙フレーム３２に貼り付けられて紙ガイドをする給紙フレームシート３２ａとで構成されるくさび部４０（図３）に、記録紙Ｐの先端を突き当て、突き当てた後に記録紙Ｐに若干の撓みが形成されるようなモータ制御を行う。このようなモータ制御によって、記録紙Ｐを分離する時、あるいは記録紙Ｐのピックアップを開始する時に生じる若干のスキューを取り除く動作（作用、機能）が行われる。
【００２９】
この状態でモータ５２が逆回転を行い、ギア連結をモード３の状態に変更する。この時、記録紙Ｐの後半部は停止している記録紙ピックアップローラ３３と記録分離パッド３４により挟まれているため、該記録紙Ｐのループが解消されることはない。その後、モータ５２を再度正方向に回転させ、所定の記録紙先端余白量に対応するステップ数の分記録紙Ｐを搬送し、そして記録動作を開始する。記録動作としては、記録紙搬送方向１ライン分の記録画像に応じたＴＰＨ（サーマルプリントヘッド）４１の各発熱体を短時間発熱させ、プラテンローラ３９とＴＰＨ４１とに挟まれて記録紙Ｐといっしょに搬送されるインクシート３６ａのインクを溶かし、記録紙Ｐに記録画像に対応するインクを転写する。
【００３０】
１ライン分の画像を記録した後、記録紙Ｐとインクシート３６ａをプラテンローラ３９により１ライン分搬送し、再度画像を記録する。ＰＥＳセンサ３５により記録紙Ｐの後端を検知した後、記録紙Ｐが所定ステップ数搬送されるまでこの動作を繰り返す。この所定ステップ数は、ＰＥＳセンサ３５とＴＰＨ４１による記録位置との関係、並びに画像領域の後端余白量により予め規定されている。
【００３１】
図１において、記録（印刷）された記録紙Ｐは、インクシート３６ａといっしょに同速度で、下カバー２４に形成された下流側のリブ２４ｂまで搬送される。その後、記録紙Ｐは給紙フレーム３２内に再突入し、インクシート３６ａはインクシートカートリッジ３６の巻き取り側紙管３６ｃにより巻き取られる。インクシート３６ａを記録紙Ｐからスムーズに剥がすために、該インクシートは巻き取り側では逆向きに巻き取られる。すなわち、供給側紙管３６ｂでは外側になっていたインクシート３６ａの面が巻き取り側紙管３６ｃでは内側になるように巻き取られる。一方、再突入した記録紙Ｐは、Ｕターンガイド３８により規制され、Ｕターンガイド３８に保持されている排紙コロ４２ａと給紙フレームに３２より保持されている記録紙排紙ローラ４２によって給紙フレーム３２の上面側に排紙される。
【００３２】
記録紙後端が記録紙Ｐとインクシート３６ａとの剥離位置を過ぎるまでモード３の状態で搬送を行う。これは、画像記録後、インクシート３６ａと記録紙Ｐとの剥離までの時間を一定にすることにより、画像プロセスを一定に保つためである。その後、モータ５２の逆回転を行ってギア連結をモード４の状態に変更する。そこでモータ５２を正回転させ、記録紙Ｐを完全に排出し、該記録紙Ｐを記録紙カバー２７の表面に積載する。次頁の画像データがあれば、上記の一連の動作を繰り返して記録紙に画像を記録する。
【００３３】
次に、本実施形態に係るファクシミリ装置１００の読取部５の構成を説明する。図１において、原稿Ｄは搬送経路に沿って矢印Ｅ方向に搬送される。このため、まず原稿給紙口カバー４５を開き、原稿Ｄを原稿挿入口４４にセットし、セットされた原稿Ｄの幅方向位置を原稿スライダ（不図示）により所定の位置に規制する。ＤＳセンサ（原稿検知センサ）４６により原稿Ｄの有無を検知する。原稿ＤはＡＤＦ部（Auto Document Feeder) ６により１枚ずつ搬送される。ＡＤＦ部６は、原稿分離ローラ４７、支点４８ａを中心に回動可能に装着された原稿分離片４８、および原稿分離片４８を反時計方向に付勢する原稿分離片ばね（不図示）等を有し、原稿分離片４８によって原稿Ｄを原稿分離ローラ４７に圧接するように構成されている。
【００３４】
原稿分離ローラ４７の下流側には、センサ部を原稿Ｄに直接接触させて該原稿Ｄの画像情報を読み取るコンタクトイメージセンサ（ＣＩＳ）５０と、原稿搬送機能を付与するためにＣＩＳ５０に対向配置されたＣＩＳローラ５１と、が設けられている。ＣＩＳローラ５１は装置本体側に固定されている。一方、ＣＩＳ５０は、不図示の圧縮ばねにより装置本体側からＣＩＳローラ５１へ向かう方向に押し上げられている。これにより、原稿Ｄの浮きやバタツキを抑えると共に、原稿Ｄの搬送力を得ることができる。
【００３５】
次に、本実施形態に係るファクシミリ装置１００の読取部５の動作を説明する。図１において、ユーザがＡＤＦ部６の原稿挿入口４４に原稿Ｄをセットすると、原稿検知センサ（ＤＳセンサ、Document Sensor)４６が原稿Ｄのセット完了を検知する。これに続いて、ユーザが操作部１０に設けられた読取開始ボタン（不図示）を押すと、モータ５２が始動して、原稿分離ローラ４７を反時計方向に回転させる。その結果、原稿Ｄは、反時計方向に回転する原稿分離ローラ４７に圧接された原稿分離片４８によって捌かれながら、最下層の１枚の原稿のみが分離されて読取部５へ搬送される。
【００３６】
こうしてＡＤＦ部６で分離された原稿Ｄは、原稿分離ローラ４７により搬送される。原稿の先端は、ＣＩＳローラ５１直前に配置された原稿先端検知センサ（ＤＥＳセンサ、  Document Edge Sensor) ４９により検知される。予め、ＤＥＳセンサ４９で原稿先端が検出されてからＣＩＳ（コンタクトイメージセンサ）５０の読み取り位置までの必要ステップ数が実験等により求められているので、原稿Ｄが所定ステップ数搬送された後、ＣＩＳ５０により原稿Ｄの下面を１ラインずつ順次読み取る。読み取りを終えた原稿Ｄは、ＣＩＳローラ５１により装置本体１６の前面に設けられた原稿排出口５７から機外へ排出される。原稿Ｄが複数枚セットされているとき、ＤＳセンサ４６が原稿無しを検知するまでモータ５２が回転することで、ＡＤＦ部６が原稿Ｄを１枚ずつ分離・搬送しながら、ＣＩＳ５０が画像データの読み取り動作を繰り返す。
【００３７】
図７は図１のファクシミリ装置１００において表示部１４が開放されているときの状態を示す模式的外観斜視図であり、図９は図１のファクシミリ装置１００において表示部１４が閉鎖されているときの状態を示す模式的外観斜視図である。次に、本実施形態に係るファクシミリ装置１００の操作部１０の構成を説明する。図７において、操作部１０は操作パネル７１と表示部１４から構成されており、操作パネル７１上には複数の操作ボタン７２が配置されている。複数の操作ボタン７２は、電話番号の入力やファクシミリ送信・受信、さらにその他の機能を行うために設けられている。表示部１４は、ユーザに対してスタンバイ時の時刻、発着呼電話番号、装置の動作状態、登録内容などを表示（報知）したり、ユーザの操作によりメール文やウェブブラウジング情報などを表示するためのものである。
【００３８】
図８は操作パネル７１の内部構成を示す縦断面図である。図８において、操作ボタン７２は、キートップ７３とゴムキー７４と操作基板７５とで構成されている。ゴムキー７４は、スイッチとしての機能とボタンの操作感（クリック力）を与える機能とを有する。操作基板７５には、ゴムキー７４の裏面に印刷されたカーボン７６に対して接触・非接触の状態でキーのＯＮ／ＯＦＦの切り替えをするカーボンパターン７７が印刷されている。７８は操作パネル７１の外装部材である、操作パネル筐体部材である。
【００３９】
表示部１４は、図７に示すように、操作パネル７１に対して回動自在に軸支されている。表示部１４は操作パネル７１に対して約１６０度の回動可能範囲を有しており、図７は表示部１４が操作パネル７１に対して開放された状態を示す。図９は表示部１４が操作パネル７１に対して折りたたまれて閉鎖された状態を示す。表示部１４が閉鎖状態の時には、図９に示すように、表示部１４は操作パネル７１に折り重なるように配置される。表示部１４が開放状態の時には、図７に示すように、表示部１４に配置されたメインＬＣＤ７９がユーザに対して露出され、ユーザはメインＬＣＤ７９に表示された情報を認知することができる。また、表示部１４が閉鎖状態の時には、図９に示すように、メインＬＣＤ７９はユーザに対して隠蔽され、表示部１４に配置されたサブＬＣＤ８０がユーザに対して露出され、ユーザはサブＬＣＤ８０に表示された情報を認知することができる。なお、表示部１４が開放状態の時は、サブＬＣＤ８０はユーザに対して隠蔽される。
【００４０】
次に、本実施形態に係るファクシミリ装置１００全体の電装のレイアウトについて説明する。なお、前述したように、本実施形態における左右は、ファクシミリ装置１００をユーザが使用するとき、該装置１００に向き合ったときの左側をファクシミリ装置１００の左側とし、同じく向き合ったときの右側をファクシミリ装置１００の右側とする。また、本実施形態における前後（前方、後方又は前部、後部）は、ユーザが装置１００に向き合ったときの手前側をファクシミリ装置１００の前方とし、ユーザが装置１００に向き合ったときの奥側（先の方）をファクシミリ装置１００の後方とする。従って、図２は、ファクシミリ装置１００を正面側から見た斜視図であり、図の左側がファクシミリ装置１００の左側になる。図２に示す底板２３は金属板である。底板２３には、モータ５２と各種センサを制御する回路およびＮＣＵ回路が実装されている副制御基板１９と、無線ユニットが実装されたコードレス子機基板１８と、各デバイスおよび各基板に電気を供給する電源基板１７とが締結されている。
【００４１】
副制御基板１９に実装されたハンドセットモジュラー端子は、装置左側面に形成された不図示の孔に係合される。ハンドセットモジュラー端子の配置が装置の側面となるように、副制御基板１９は底板２３の左端に配置されている。コードレス子機基板１８は、装置後方右側にあるアンテナ６０との接続を容易にするため、底板２３の右側に配置されている。電源基板１７は、電源ケーブル６１を装置後方より装置外に出すため、底板２３の後部に配置されている。図２に示すアンテナ６０は、底板２３と絶縁するために、アンテナホルダ６２を介してコードレス子機基板１８に締結されている。
【実施例１】
【００４２】
前述の操作パネル７１および表示部１４についてさらに具体的に説明する。まず表示部１４の回転中心の位置について説明する。図７において、表示部１４は回転中心部８１を支点として操作パネル７１に対して回動自在に取り付けられている。回転中心部８１は操作パネル７１の後部に配置されており、図７に示すように表示部１４が開放状態の時は、表示部１４は操作パネル７１の後方上部に配置される。これにより、操作パネル７１の全エリアにわたって配列された全てのボタン７２を活用することが可能となっている。よって、多数のボタンを有しながらも、ボタンの大きさやレイアウトの面でデザイン的な自由度を確保することができ、美観的に優れかつ操作性に優れたボタンレイアウトを実現することが可能となっている。
【００４３】
図１１は図１のファクシミリ装置１００において表示部１４が開放されたときの状態を模式的に示す中央部縦断面図であり、図１２は図１のファクシミリ装置１００において表示部１４が閉鎖されたときの状態を模式的に示す中央部縦断面図である。ここで、図１１および図１２を用いて表示部１４と原稿挿入口４４および記録紙挿入口２９との位置関係について説明する。図１１に示すように、原稿挿入口４４や記録紙挿入口２９は操作パネル７１の後方に位置している。すなわち、原稿挿入口４４や記録紙挿入口２９は、開放状態にある表示部１４の後方に配置される構成となっている。このため、原稿挿入口４４や記録紙挿入口２９は、表示部１４の陰になり、ユーザにとって見えにくく、原稿や記録紙を装置本体に装填する際に装填しにくい構成になる。ここで、本実施例においては、図１２に示すように表示部１４を閉鎖状態にすることにより、ユーザが原稿挿入口４４や記録紙挿入口２９を容易に目視することができ、しかも容易にアクセスできる状態になる。これにより、原稿Ｄや記録紙Ｐを装置本体に装填するに際し、ユーザは安定した良好な操作性のもとで装填することができる。また、必要に応じて積載された原稿Ｄや記録紙Ｐを取り出す場合も同じく良好な操作性のもとで作業することができる。
【００４４】
このように、表示部１４を操作パネル７１に対して回動自在に軸支し、かつ回転中心部８１を操作パネル７１の後部に配置することにより、装置全体のコンパクト性を実現しながら、表示部１４を開放したときには、ボタン配列のエリアを充分に確保すると共にデザイン的な自由度を充分に確保することにより、美観的および操作性に優れたボタンレイアウトを容易に実現することができる。同時に、表示部１４を閉鎖することにより、ユーザが原稿Ｄや記録紙Ｐを安定した良好な操作性のもとで容易に装填することが可能になる。
【００４５】
次に、表示部１４を閉鎖状態にした時の構成について説明する。図９および図１２に示すように、表示部１４が閉鎖された時には該表示部１４の第１の面（おもて面）に設けられた第１の表示装置としてのメインＬＣＤ７９がユーザに対して隠蔽され、該表示部１４の第２の面（裏面）に設けられた第２の表示装置としてのサブＬＣＤ８０がユーザに対して露出される。回転中心部８１の近傍には表示部１４の開放及び閉鎖を検知する検知手段（表示部開閉センサ）が設けられている。そこで、装置本体は、回転中心部８１付近に配置された表示部開閉センサ（不図示）により表示部１４が閉鎖状態であることを認識し、これに基づいて、メインＬＣＤ７９を消灯非表示とし、サブＬＣＤ８０の方を点灯表示させるように構成されている。本実施形態では、表示部１４の開放時には第１の表示装置７９を表示させると共に第２の表示装置８０を非表示とし、表示部１４の閉鎖時には第１の表示装置７９を非表示にすると共に第２の表示装置８０を表示させるように構成されている。つまり、上記表示部１４の開閉は、表示部開閉センサ（不図示）により検知され、前述のようにユーザに対して隠蔽されている表示装置（メインＬＣＤ７９又はサブＬＣＤ８０）を消灯非表示にすることにより省電力が実現されている。
【００４６】
また、図９に示すように、表示部１４が閉鎖された時には、操作パネル７１上の複数のボタン（全ボタン）のうち、一部のボタン群（第２のボタン群８５）が表示部１４により隠蔽され、残りのボタン群（第２のボタン群８５以外の第１のボタン群８４）のみが露出されてユーザによる操作が可能となる。この表示部１４の閉鎖時に露出される第１のボタン群８４は、電話番号を押す際に使用する数字ボタンや、リダイヤルボタン、および保留ボタンなど、電話操作に関するボタンである。さらに、このボタン群８４には、留守録をセットおよび解除するボタンや、留守録に録音されたメッセージを再生する再生キーなどの留守番電話に関するボタンも含まれる。また、サブＬＣＤ８０は、発呼電話番号表示や着信電話番号表示、並びにスタンバイ時の時計表示などを表示するように構成されている。このように電話の発着呼や留守番電話の操作、さらにはＦＡＸ受信などの簡単な操作においては、表示部１４を閉鎖したままでこれらの操作を行うことができ、シンプルなボタン配列のもとに、判りやすく良好な操作性が実現されている。
【００４７】
次に、表示部１４が開放状態になっている時の構成について説明する。図７および図１１に示すように、表示部１４が開放されたときには、メインＬＣＤ７９がユーザに対して露出され、第２の表示装置としてのサブＬＣＤ８０はユーザに対して隠蔽される。ここで、回転中心部８１付近に配置された表示部開閉センサ（不図示）により装置本体は表示部１４が開放状態であることを認識する。そして、装置本体は、メインＬＣＤ７９を点灯表示させると共に、サブＬＣＤ８０を消灯非表示とする。また、図７に示すように、表示部１４が開放されたときには、操作パネル７１上の複数のボタン７２の全てが露出し、ユーザが全てのボタンを操作できる状態になっている。複数のボタン７２のうち表示部が閉鎖された時に隠蔽される第２のボタン群８５は、電話帳登録、Ｅメールの作成および送受信、並びにその他の各種登録の時に使用するボタンである。また、メインＬＣＤ７９は、ユーザの各種登録操作による登録内容、Ｅメール文、ウェブブラウジング、並びに受信画像情報などを表示することが可能になっている。
【００４８】
このように各種登録やＥメールの作成、ウェブブラウジング情報や画像情報の表示などの多機能で複雑な操作においては、表示部１４を開放しての操作が可能となり、充分なエリアの範囲に配列されたボタン群を利用することで、多機能情報端末として操作性に優れたファクシミリ装置を構成することができる。同時に、ユーザに対して隠蔽されているサブＬＣＤ８０を表示部開閉センサの検知に基づいて消灯非表示とすることにより、省電力を実現することができる。本実施形態においては、前記第１のボタン群８４は主に前記第１の表示装置（メインＬＣＤ）７９への表示内容の操作に関するボタンである。また、前記第２のボタン群８５は、第１の表示装置７９への表示なしで、前記第２の表示装置（サブＬＣＤ）８０への表示のみで、装置本体の操作が可能である操作に関するボタンである。
【００４９】
次に、表示部１４に配置された第３のボタン群としての操作ボタン（ＬＣＤ操作ボタン）８６について説明する。図７に示すように、表示部１４の第１の面の第１の表示装置としてのメインＬＣＤ７９の領域外（下方）には第３のボタン群としての複数のＬＣＤ操作ボタン８６が配置されている。操作パネル７１上の複数のボタン７２のほぼ全ては、ボタン周辺への印刷表示などによりボタン機能をユーザに認知させる（知らせる）構成となっている。しかし、ＬＣＤ操作ボタン８６に関しては、ボタン機能に関する周辺印刷表示がなく、メインＬＣＤ７９の下部に夫々のＬＣＤ操作ボタン８６に対応するボタン機能が表示されている。よって、メインＬＣＤ７９の下部表示が変動することにより対応するＬＣＤ操作ボタン８６の機能も変動する。つまり、複数のＬＣＤ操作ボタン８６から成る第３のボタン群のボタン機能は、第１の表示装置７９への表示により装置使用者に知らされ、第１の表示装置７９への表示内容の変動により、該第３のボタン群８６の機能が変動するように構成されている。なお、ＬＣＤ操作ボタン（第３のボタン群）８６は、表示部１４のメインＬＣＤ７９の下部近傍に配置されているため、ユーザがメインＬＣＤ７９の下部表示と対応するＬＣＤ操作ボタン８６との関連性を容易に認識することができる。
【００５０】
図１３は図１のファクシミリ装置１００の表示部１４の内部構成を示す模式的分解斜視図であり、図１４は図１のファクシミリ装置１００の表示部１４をメインＬＣＤ７９の裏面方向から見た模式的斜視図であり、図１５は図１のファクシミリ装置１００の表示部１４のヒンジ部材９０の構成を操作パネル７１の下側から見て示す模式的斜視図である。次に、図７、図１３、図１４および図１５を用いて表示部１４の構成について説明する。図１３に示すように、表示部１４は、表裏一対の部材から成る表示部筐体部材８７と、メインＬＣＤ７９と、サブＬＣＤ８０と、メインＬＣＤ７９の光源点灯回路基板８８と、サブＬＣＤ８０を保持するサブＬＣＤホルダ８９と、表示部１４を回動可能に連結するためのヒンジ部材９０と、ＬＣＤ操作ボタン８６と、ＬＣＤ操作ボタン基板９１と、を備えている。
【００５１】
上記光源点灯回路基板８８は直流電圧を高圧交流電圧に変換する回路である。この光源点灯回路基板８８にて変換された高圧交流電圧により、メインＬＣＤ７９内部に配置された蛍光管（不図示）が点灯される。この蛍光管が点灯されることで、ユーザはメインＬＣＤ７９上の表示を視認することができる。ここで、光源点灯回路基板８８はメインＬＣＤ７９の側部に配置されており、そのため、表示部１４の厚さ方向の寸法を小さくすることができる。また、図１４に示すように、サブＬＣＤ８０およびサブＬＣＤホルダ８９は、メインＬＣＤ７９の背面（表示面と反対の裏面）であって、メインＬＣＤ７９の背面に取り付けられるメインＬＣＤ基板９２がないエリアに配置されている。よって、メインＬＣＤ基板９２が存在するエリアに配置される場合と比較して、メインＬＣＤ基板９２の厚さの分、表示部１４全体の厚さ方向の寸法を小さくすることができる。また、図７に示すように、ＬＣＤ操作ボタン８６を左右２箇所の回転中心部８１の間に配置することにより、空間効率を向上させ、表示部１４の小型化を実現することができる。
【００５２】
また、図１５に示すように、操作パネル７１に対して表示部１４を回動可能に軸支するためのヒンジ部材９０は、表示部１４の左下部に配置されており、表示部１４が操作パネル７１に対して回動する際の支軸を形成すると共に、回動動作時に適切な抵抗力を発生するように構成されている。この適切な抵抗力によって、ユーザは、表示部１４の開角度を任意に変動させると共にその角度位置に表示部１４を保持させることができる。それによって、ファクシミリ装置本体に対するユーザの目の位置に対して、表示部の角度を適切に調整することができ、一層の操作性の向上を図ることができる。ヒンジ部材９０は、図１５に示すように、一方の端部９３で表示部筐体部材８７の左側部分に締結され、他方の端部９４で操作パネル筐体部材７８の左側部分に締結されている。ここで図１５に示すように、ヒンジ部材９０の他方の端部９４が操作パネル７１の操作基板７５の左側に配置されることになり、このため操作基板７５の配線に影響を与えることがなく、配線の自由度を向上させることができる。
【００５３】
以上説明した実施例に係るファクシミリ装置によれば、装置本体上部前方に配置された操作パネル７１と、操作パネル７１に対して開閉可能に配置され、開放時には操作パネル７１の上方かつ後方に位置し、閉鎖時には前記操作パネル上に折り重ねられる表示部１４と、装置本体上部で開放時の表示部１４より後方に配置された原稿挿入口４４および記録紙挿入口２９と、を有する構成であるので、装置本体の小型化を実現しつつ大型の表示装置を搭載することができ、かつ操作性に優れた操作パネルを実現するとともに、原稿および記録紙の良好な装填性を確保できるファクシミリ装置が提供される。また、表示部１４は、操作パネル７１の後部に設けられた回転中心部８１を支点として回動することにより、操作パネル７１に対して開閉されるので、簡易な構成で表示部の開閉を行うことが可能になる。また、上記回転中心部８１に適度の回転抵抗を設けることにより表示部１４の開き角度が可変自在である構成とするので、表示部１４の操作性をさらに向上させることができる。さらに、表示部１４の開放時には、第１の表示装置７９が装置使用者に対して露出されるとともに第２の表示装置８０が装置使用者に対して隠蔽され、表示部１４の閉鎖時には、第１の表示装置７９が装置使用者に対して隠蔽されるとともに第２の表示装置８０が装置使用者に対して露出されるので、シンプルな操作内容は必要最小限のボタンと表示装置で平易に操作可能となり、一方多機能な操作内容は多くのボタンと多情報の表示装置で操作可能となり、簡単操作と多機能操作の両方の操作性を向上させることができる。
【００５４】
また、以上説明した実施例に係るファクシミリ装置によれば、表示部１４の閉鎖時には、複数のボタンの一部である第１のボタン群８５が装置使用者に対して隠蔽されるとともに、第１のボタン群８５以外のボタンである第２のボタン群８４が露出され、表示部１４の開放時には、複数のボタンの全てが装置使用者に対して露出されるので、シンプルな操作内容は必要最小限のボタンと表示装置で平易に操作可能となり、一方多機能な操作内容は多くのボタンと多情報の表示装置で操作可能となり、簡単操作と多機能操作の両方の操作性を向上させることができる。また、第１のボタン群８５は主に第１の表示装置７９への表示内容の操作に関するボタンであり、第２のボタン群８４は、第１の表示装置への表示なしで、第２の表示装置への表示のみで、装置本体の操作が可能である操作に関するボタンであるので、シンプルな操作内容は必要最小限のボタンと表示装置で平易に操作可能となり、一方多機能な操作内容は多くのボタンと多情報の表示装置で操作可能となり、簡単操作と多機能操作の両方の操作性を向上させることができる。
【００５５】
また、表示部１４の第１の面の第１の表示装置７９の領域外に第３のボタン群８６が配置され、第３のボタン群８６のボタン機能は第１の表示装置７９への表示により装置使用者に知らされ、第１の表示装置７９への表示内容の変動により第３のボタン群８６のボタン機能が変動するので、多機能操作の操作性をさらに向上させることができる。さらに、表示部１４の開放および閉鎖を検知する検知手段を設け、表示部１４の開放時には第１の表示装置７９を表示させると共に第２の表示装置８０を非表示にし、表示部１４の閉鎖時には第１の表示装置７９を非表示にすると共に第２の表示装置８０を表示させるので省電力を実現することができる。
【図面の簡単な説明】
【００５６】
【図１】本発明を適用したファクシミリ装置を模式的に示す中央部縦断面図である。
【図２】図１のファクシミリ装置の主として電装部を示すための模式的分解斜視図である。
【図３】図１のファクシミリ装置の記録部周辺を拡大して示す模式的部分縦断面図である。
【図４】図１のファクシミリ装置の駆動系を示す図であり、（ａ）は駆動系の側面図であり、（ｂ）は駆動系およびローラ類を斜め上から見た斜視図である。
【図５】図１のファクシミリ装置のインクカートリッジを示す模式的斜視図である。
【図６】図１のファクシミリ装置の制御系の構成を示すブロック図である。
【図７】図１のファクシミリ装置において表示部が開放されているときの状態を示す模式的外観斜視図である。
【図８】図１のファクシミリ装置の操作パネルの模式的縦断面図である。
【図９】図１のファクシミリ装置において表示部が閉鎖されているときの状態を示す模式的外観斜視図である。
【図１０】図１のファクシミリ装置において上カバーユニットを開放したときの状態を模式的に示す中央部縦断面図である。
【図１１】図１のファクシミリ装置において表示部が開放されたときの状態を模式的に示す中央部縦断面図である。
【図１２】図１のファクシミリ装置において表示部が閉鎖されたときの状態を模式的に示す中央部縦断面図である。
【図１３】図１のファクシミリ装置の表示部の内部構成を示す模式的分解斜視図である。
【図１４】図１のファクシミリ装置の表示部をメインＬＣＤの裏面方向から見た模式的斜視図である。
【図１５】図１のファクシミリ装置の表示部のヒンジ部材の構成を操作パネル７１の下側から見て示す模式的斜視図である。
【図１６】本発明を適用する前のファクシミリ装置の中央部縦断面図である。
【図１７】本発明を適用する前のファクシミリ装置の操作部の模式的平面図である。
【符号の説明】
【００５７】
１        底板ユニット
２        自動給紙部・ＡＳＦ部
３        画像記録部
５        読取部
６        自動原稿供給部・ＡＤＦ部
８        下カバーユニット
９        給紙フレームカバーユニット
１０      操作部
１１      ＡＤＦフレームユニット
１４      表示部
１５      上カバーユニット
１６      装置本体
１７      電源基板
１８      コードレス子機基板
１９      副制御基板
２０      主制御基板
２１      子機
２３      底板
２４      下カバー
２５      ネットワーク・コントロール・ユニット回路（ＮＣＵ回路）
２６      記録紙積載トレイ
２７      記録紙カバー
２９      記録紙挿入口
３０      記録紙搬送路
３１      記録予備圧接アーム
３１ａ    記録予備圧接アームばね
３２      給紙フレーム
３２ａ    給紙フレームシート
３３      記録ピックアップローラ
３４      記録分離パッド
３４ａ    記録分離パッドばね
３５      ＰＥＳセンサ
３６      インクシートカートリッジ
３７      アンダーガイド
３８      Ｕターンガイド
３９      プラテンローラ
４０      くさび部
４１      ＴＰＨ
４１ａ    ＴＰＨばね
４１ｂ    ＴＰＨステー
４２      記録紙排紙ローラ
４２ａ    排紙コロ
４３      インクシートセンサ
４４      原稿挿入口
４５      原稿給紙口カバー
４６      ＤＳセンサ
４７      分離ローラ
４８      原稿分離片
４８ａ    支点
４９      ＤＥＳセンサ
５０      ＣＩＳ
５１      読取白ローラ
５２      モータ
５３      ギア
５４      各種アーム
５７      原稿排出口
６０      アンテナ
６１      電源ケーブル
６２      アンテナホルダ
６３      支点
６４      ダンパアーム
６５      突起
６６      ストッパ爪
７１      操作パネル
７２      複数の操作ボタン
７３      キートップ
７４      ゴムキー
７５      操作基板
７６      カーボン
７７      カーボンパターン
７８      操作パネル筐体部材
７９      メインＬＣＤ（第１の表示装置）
８０      サブＬＣＤ（第２の表示装置）
８１      回転中心部
８４      表示部閉鎖時に露出するボタン群（第２のボタン群）
８５      表示部閉鎖時に隠蔽されるボタン群（第１のボタン群）
８６      ＬＣＤ操作ボタン（第３のボタン群）
８７      表示部筐体部材
８８      光源点灯回路基板
８９      サブＬＣＤホルダ
９０      ヒンジ部材
９１      ＬＣＤ操作ボタン基板
９２      メインＬＣＤ基板
９３      ヒンジ部材の一方の端部
９４      ヒンジ部材の他方の端部
１００    ファクシミリ装置
【図１】
2005124074.tif 000003
【図２】
2005124074.tif 000004
【図３】
2005124074.tif 000005
【図４】
2005124074.tif 000006
【図５】
2005124074.tif 000007
【図６】
2005124074.tif 000008
【図７】
2005124074.tif 000009
【図８】
2005124074.tif 000010
【図９】
2005124074.tif 000011
【図１０】
2005124074.tif 000012
【図１１】
2005124074.tif 000013
【図１２】
2005124074.tif 000014
【図１３】
2005124074.tif 000015
【図１４】
2005124074.tif 000016
【図１５】
2005124074.tif 000017
【図１６】
2005124074.tif 000018
【図１７】
2005124074.tif 000019